【手続補正書】
【提出日】平成15年9月11日(2003.9.11)
【手続補正１】
【補正対象書類名】明細書
【補正対象項目名】特許請求の範囲
【補正方法】変更
【補正の内容】
【特許請求の範囲】
【請求項１】
パチンコ球の受け皿を装着したパチンコ機であって、
その受け皿の底部には、該受け皿に貯留するパチンコ球を排出するための排出口と、該排出口を開閉するためのシャッター部材と、そのシャッター部材を付勢させる弾性体と、前記シャッター部材をスライド移動させるための軌道軸とが備えられており、
そのシャッター部材は前記軌道軸に沿って該軸方向にスライド移動し、外部からの手動操作によって該排出口に対して平行移動し得ると共に、該手動操作を解除した際には前記弾性体の付勢力によって該排出口を遮蔽する所定の位置まで自動復帰し得るように前記受け皿に装着されており、
ここで前記受け皿には、前記シャッター部材が前記排出口を開放する位置まで平行移動した際に、前記軌道軸に設けられた切り欠き部によって前記自動復帰を阻んで該シャッター部材をその位置に一時的に保持させてロックし、
保持された前記シャッター部材をロック時と同方向に移動させると、前記弾性体の付勢力によって前記シャッター部材を押し出してロック状態を解除し、自動復帰を行うロック機構が備えられており、
前記シャッター部材の前記平行移動によって前記排出口の開閉操作と開放状態の一時的保持とが共に実現されることを特徴とするパチンコ機。
【請求項２】
請求項１に記載のパチンコ機において、
シャッター部材に設けられた凹部と、その凹部と咬み合うように切り欠き部に設けられた凸部とを備えたことを特徴とするパチンコ機。
【手続補正２】
【補正対象書類名】明細書
【補正対象項目名】０００８
【補正方法】変更
【補正の内容】
【０００８】
【課題を解決するための手段】
上記目的を達成するために、本発明においては、パチンコ球の受け皿を装着したパチンコ機であって、その受け皿の底部には、該受け皿に貯留するパチンコ球を排出するための排出口と、該排出口を開閉するためのシャッター部材と、そのシャッター部材を付勢させる弾性体と、前記シャッター部材をスライド移動させるための軌道軸とが備えられており、そのシャッター部材は前記軌道軸に沿って該軸方向にスライド移動し、外部からの手動操作によって該排出口に対して平行移動し得ると共に、該手動操作を解除した際には前記弾性体の付勢力によって該排出口を遮蔽する所定の位置まで自動復帰し得るように前記受け皿に装着されており、ここで前記受け皿には、前記シャッター部材が前記排出口を開放する位置まで平行移動した際に、前記軌道軸に設けられた切り欠き部によって前記自動復帰を阻んで該シャッター部材をその位置に一時的に保持させてロックし、保持された前記シャッター部材をロック時と同方向に移動させると、前記弾性体の付勢力によって前記シャッター部材を押し出してロック状態を解除し、自動復帰を行うロック機構が備えられており、前記シャッター部材の前記平行移動によって前記排出口の開閉操作と開放状態の一時的保持とが共に実現されることを特徴とするパチンコ機（以下、「本発明の第一のパチンコ機」という。）を提供する。


【手続補正３】
【補正対象書類名】明細書
【補正対象項目名】００１０
【補正方法】変更
【補正の内容】
【００１０】
本発明の第一のパチンコ機では、上記シャッター部材が上記受け皿に貯留するパチンコ球を排出するための排出口に対して平行移動可能に当該受け皿に装着されているとともに、そのシャッター部材を当該排出口が開放される位置まで平行移動させた際に、当該シャッター部材をその位置に一時的に保持し得ることを特徴とするロック機構が設けられている。軌道軸には切り欠き部が設けられているため、当該軌道軸に沿ってスライド移動してきたシャッター部材の一部分を、別態様の動作を行うことなくスライド移動のみで当該切り欠き部に入れ込むことが可能となる。このとき、シャッター部材の当該入れ込まれた部分は当該切り欠き部における凹み部分の壁面に接触して当該切り欠き部内に留まるため、これが障害となって上記軌道軸に沿ったシャッター部材の自動復帰は阻まれることとなる。逆に、シャッター部材をロック時と同方向に移動させるだけで弾性体の付勢力によってシャッター部材を押し出してロック状態を解除するので、当該シャッター部材は軌道軸に沿って所定の位置まで容易に自動復帰することができる。
【手続補正４】
【補正対象書類名】明細書
【補正対象項目名】００１１
【補正方法】変更
【補正の内容】
【００１１】
従って、本発明の第一のパチンコ機によれば、遊技者は、上記シャッター部材を排出口に対して平行移動させる操作のみで、上記排出口の開閉操作とその開放状態の一時的保持とを共に実現させることができる。このため、従来のパチンコ機におけるような上記排出口の開放状態維持のために上記平行移動とは態様の異なる別操作を行う必要がない。このため、上記シャッター部材を当該排出口が開放される位置に一時的に保持させるのに遊技者が手間取ることはない。
また遊技者は、シャッター部材を軌道軸に沿ってスライド移動させて排出口を開放させるとと共に、同様のスライド操作のまま当該軌道軸に設けられた切り欠き部に当該シャッター部材の一部を入れ込むことができる。一方、シャッター部材をロック時と同方向に移動させるだけで、ロック状態を解除して当該シャッター部材を自動復帰させることができる。すなわち、上記排出口の開閉とその開放状態の維持とを単純な一つの操作で行うことができる。
【手続補正５】
【補正対象書類名】明細書
【補正対象項目名】００１２
【補正方法】変更
【補正の内容】
【００１２】
さらに本発明は、上記本発明の第一のパチンコ機において、シャッター部材に設けられた凹部と、その凹部と咬み合うように切り欠き部に設けられた凸部とを備えたことを特徴とするパチンコ機（以下、「本発明の第二のパチンコ機」という。）を提供する。


【手続補正６】
【補正対象書類名】明細書
【補正対象項目名】００１３
【補正方法】変更
【補正の内容】
【００１３】
本発明の第二のパチンコ機においては、シャッター部材に設けられた凹部と、切り欠き部に設けられた凸部とが咬み合ってロック状態を確実なものとする。
【手続補正７】
【補正対象書類名】明細書
【補正対象項目名】００１４
【補正方法】変更
【補正の内容】
【００１４】
従って、本発明の第二のパチンコ機によれば、凹部と凸部とを咬合させることにより、ロック状態の不用意な解除を未然に防ぐことができる。
【手続補正８】
【補正対象書類名】明細書
【補正対象項目名】００８８
【補正方法】変更
【補正の内容】
【００８８】
すなわち、本発明の第一のパチンコ機では、上述のロック機構が備えられている結果、上記シャッター部材を当該受け皿に貯留するパチンコ球を排出するための排出口が開放される位置まで当該受け皿に対して平行移動させることによって、シャッター部材の一部分を切り欠き部に入れ込み、当該シャッター部材をその位置に一時的に保持することができる。またシャッター部材をロック時と同方向に移動させるだけで、ロック状態を解除して当該シャッター部材を自動復帰させることができる。このため、本発明の第一のパチンコ機によれば、遊技者は、受け皿からのパチンコ球の排出作業に手間取ることなく、上記排出口の開閉操作および当該排出口の開放状態の一時的保持を容易に行うことができる。


【手続補正９】
【補正対象書類名】明細書
【補正対象項目名】００８９
【補正方法】変更
【補正の内容】
【００８９】
また、本発明の第二のパチンコ機によれば、シャッター部材に設けられた凹部と、切り欠き部に設けられた凸部と咬合させることにより、ロック状態の不用意な解除を未然に防ぐことができる。